(57)【要約】【課題】  重量及びコストの低減及び意匠性の向上が図れるカーテンウォールを提供する。【解決手段】  上枠２、下枠３及び左右の縦枠４，４からなる枠５と、該枠５内に設けられたパネル６とを有するユニット７を左右方向及び上下方向に隣接して配置してなるカーテンウォール１であって、隣り合うユニット７の対向する縦枠４，４にゴンドラ１０のガイドローラ１１を案内するゴンドラレール部１２を設け、前記縦枠４，４間の少なくとも高さ方向中央部に、縦枠４，４相互の横方向の引っ張りを拘束する連結部材１４を設けている。【選択図】          図４
2005146752.tif 000002
【特許請求の範囲】
【請求項１】
上枠、下枠及び左右の縦枠からなる枠と、該枠内に設けられたパネルとを有するユニットを左右方向及び上下方向に隣接して配置してなるカーテンウォールであって、隣り合うユニットの対向する縦枠にゴンドラのガイドローラを案内するゴンドラレール部を設け、前記縦枠間の少なくとも高さ方向中央部に、縦枠相互の横方向の引っ張りを拘束する連結部材を設けたことを特徴とするカーテンウォール。
【発明の詳細な説明】
【技術分野】
【０００１】
本発明は、カーテンウォールに係り、特に隣り合うユニットの縦枠間にゴンドラレールを有するカーテンウォールに関する。
【背景技術】
【０００２】
カーテンウォールとしては、上枠、下枠及び左右の縦枠からなる枠と、該枠内に設けられたパネルとを有するユニットを左右方向及び上下方向に隣接して配置し、隣り合うユニットの対向する縦枠間にゴンドラのガイドローラを案内するゴンドラレールを設けてなるものが知られている（特開２００１−２７５１５６５号公報参照）。このカーテンウォールは、対向する縦枠のうちの一方の縦枠にゴンドラレールを固定し、一方の縦枠のみにゴンドラの重量に対する耐震性能を持たせている。
【０００３】
【特許文献１】特開２００１−２７５１５６５号公報
【発明の開示】
【発明が解決しようとする課題】
【０００４】
しかしながら、前記カーテンウォールにおいては、一方の縦枠のみにゴンドラの重量に対する耐震性能を持たせているため、縦枠の肉厚を増大させて剛性を上げる必要があり、重量及びコストの増大を招くと共に、見付寸法の増大による意匠性の低下を招いていた。
【０００５】
本発明は、上記事情を考慮してなされたものであり、重量及びコストの低減及び意匠性の向上が図れるカーテンウォールを提供することを目的とする。
【課題を解決するための手段】
【０００６】
本発明は、上枠、下枠及び左右の縦枠からなる枠と、該枠内に設けられたパネルとを有するユニットを左右方向及び上下方向に隣接して配置してなるカーテンウォールであって、隣り合うユニットの対向する縦枠にゴンドラのガイドローラを案内するゴンドラレール部を設け、前記縦枠間の少なくとも高さ方向中央部に、縦枠相互の横方向の引っ張りを拘束する連結部材を設けたことを特徴とする。
【発明の効果】
【０００７】
本発明によれば、上枠、下枠及び左右の縦枠からなる枠と、該枠内に設けられたパネルとを有するユニットを左右方向及び上下方向に隣接して配置してなるカーテンウォールであって、隣り合うユニットの対向する縦枠にゴンドラのガイドローラを案内するゴンドラレール部を設け、前記縦枠間の少なくとも高さ方向中央部に、縦枠相互の横方向の引っ張りを拘束する連結部材を設けているため、重量及びコストの低減及び意匠性の向上が図れる。
【発明を実施するための最良の形態】
【０００８】
以下に、本発明を実施するための最良の形態について、添付図面を基に詳述する。図１は本発明の実施の形態を示すカーテンウォールの概略的正面図、図２は同カーテンウォールの縦断面図、図３は同カーテンウォールの横断面図、図４はＡ−Ａ線拡大断面図、図５はＢ−Ｂ線拡大断面図である。
【０００９】
これらの図において、１は中高層建築物の外壁であるカーテンウォールで、このカーテンウォール１は例えばアルミ形材製の上枠２、下枠３及び左右の縦枠４からなる枠５と、該枠５内に設けられたパネル６例えばガラスパネルとを有するユニット７を左右方向及び上下方向に隣接配置して構成されている。ユニット７は、例えば図２に示すように、建物の梁材等からなる躯体である上階フロア８ａの端部と下階フロア８ｂの端部との間に掛け渡されて取付けられている。この場合、ユニット７の上枠２部分がフロアの端部に取付金具９を介して固定され、ユニットの下枠３部分が下階のユニット７の上枠２部分に係合連結されていても良い。
【００１０】
隣り合うユニット７の対向する縦枠４にはゴンドラ１０のガイドローラ１１を案内するゴンドラレール部１２を有している。図示例では、隣り合うユニット７の対向する縦枠４，４のうち、ゴンドラ１０のガイドローラ１１と対応する縦枠４，４にはゴンドラ１０のガイドローラ１１を案内するゴンドラレール部１２が形成され、ガイドローラ１１と対応しない縦枠４，４にはゴンドラレール部１２を形成しないことにより重量及びコストの低減が図られている（図４参照）が、全ての縦枠４にゴンドラレール部１２が形成されていても良い。
【００１１】
前記ゴンドラ１０は、中高層建築物のカーテンウォール１の外壁面の清掃作業を行うために屋上に走行可能に設置した図示しないクレーンからワイヤロープ１３を介して昇降可能に吊り下げられている。ゴンドラ１０は左右に腕部１４を有し、該腕部１４にガイドローラ１１が回転可能に取付けられている。ガイドローラ１１は、各縦枠４に位置されて室内外方向の荷重を受ける左右一対の第１ローラ（面外ローラ）１１ａと、両縦枠４，４間に位置されて左右方向の荷重を受ける第２ローラ（面内ローラ）１１ｂとからなっている。ゴンドラレール部１２は例えば横断面略コ字状に形成されている。図示例では、第１ローラ１１ａを受ける突条の第１レール部１２ａと、第２ローラ１１ｂを受ける突条の第２レール１２ｂとが設けられている。
【００１２】
前記縦枠４，４間の少なくとも高さ方向中央部には、縦枠４，４相互の上下方向の相対的移動を許容し、縦枠４，４相互の横方向の引っ張りを拘束する連結部材１４が設けられている。図示例では、ゴンドラレール部１２を有する縦枠４，４間に連結部材１４が設けられ、ゴンドラレール部１２を有しない縦枠４間には連結部材１４が設けられていないが、ゴンドラレール部１２を有しない縦枠４，４間にも連結部材１４が設けられていても良い。連結部材１４は、例えば横断略面Ｈ字状のアルミ形材からなり、左右のフランジ部１４ａ，１４ａと、両フランジ部１４ａ，１４ａを連結するウエブ部１４ｂとを有している。連結部材１４は、所定の長さ例えば１５０ｍｍ程度に形成されている。
【００１３】
対向する縦枠４，４には横断面略コ字状の溝部１５，１５が対向して形成され、各溝部１５には横方向の引っ張りを拘束すべく連結部材１４のフランジ部１４ａを係止する係止部１６が設けられている。各溝部１５は、係止部１６を含めて断面略Ｃ字状の係合溝部を構成している。また、前記係止部１６には連結部材１４を縦枠４，４間の高さ方向略中央部に位置決め係止するための位置決め部材１７が固着具例えばネジ１８で取付けられている。連結部材１４は対向する両縦枠４，４の両溝部（係合溝部）１５に跨るようにして縦枠４の上方から落とし込まれ、前記位置決め部材１７上に位置決め係止される。連結部材１４は、対向する縦枠４，４間の横方向の引っ張り（互いに離間する方向の動き）以外例えば横方向の圧縮（互いに離間する方向の動き）及び上下方向の相対的移動を許容する。前記連結部材１４の溝部１５と接する部分には滑り剤１９がコーティングされていることが好ましい。
【００１４】
前記対向する縦枠４，４間には、室外側に雨水の浸入を防止するレインバリア２０が設けられ、室内側に風の侵入を防止するウィンドバリア２１が設けられている。このウィンドバリア２１は、例えばゴム或いは軟質樹脂製の気密材からなっている。この弾性力で縦枠４，４間が押開かれるのを防止するために、図４に示すように、連結部材１４が設けられていない縦枠４間には、縦枠４同士を連結する例えばアルミ形材製の目地部材２２がウィンドバリア２１よりも室内側にその長手方向に沿って設けられている。なお、図４に示す縦枠４，４間に連結部材１４を設ければ、目地部材２２は不要になる。
【００１５】
以上の構成からなるカーテンウォール１によれば、上枠２、下枠３及び左右の縦枠４，４からなる枠５と、該枠５内に設けられたパネル６とを有するユニット７を左右方向及び上下方向に隣接して配置してなるカーテンウォール１であって、隣り合うユニット７の対向する縦枠４，４にゴンドラ１０のガイドローラ１１を案内するゴンドラレール部１２を設け、前記縦枠４，４間の少なくとも高さ方向中央部に、縦枠４，４相互の横方向の引っ張りを拘束する連結部材１４を設けているため、剛性の向上、意匠性の向上及びコストの低下が図れる。
【００１６】
すなわち、対向する縦枠４，４同士を横方向の引っ張りを拘束する連結部材１４で連結しているため、例えば、地震により生じるゴンドラ１０の横揺れによる荷重ないし外力を両縦枠４，４に分散させることができ、これにより縦枠４の剛性の向上が図れ、ゴンドラ１０の重量に対する耐震性能が向上し、ユニット７の枠５の経済的設計が可能となる。すなわち、縦枠４の肉厚を削減し、見付寸法を小さく（スリム化）でき、意匠性の向上及びコストの低減が図れる。
【００１７】
また、連結部材１４により、両縦枠４，４が横方向の引っ張りを拘束すべく連結されているので、両縦枠４，４間に設けたウィンドバリア２１に隙間が発生するのを防止することができ、水密性能の向上が図れる。しかも、ウィンドバリア２１の弾性力（反発力）により両縦枠４，４の高さ方向中央部が離間するように弓形に変形する現象（はらみ）も防止することができる。連結部材１４は両縦枠４，４の上下方向の相対的移動を許容している（拘束していない）ため、熱膨張収縮の吸収性や耐震性等に好適なカーテンウォール１を提供することができる。
【００１８】
本発明の実施の形態ないし実施例を図面により詳述してきたが、本発明は前記実施の形態ないし実施例に限定されるものではなく、本発明の要旨を逸脱しない範囲での種々の設計変更等が可能である。例えば、連結部材の形状としては、横断面Ｈ字状以外に、Ｕ字状等であってもよく、或いは、図６に示すように横断面が円形ないし楕円形の一対の拡大部１４ａ，１４ａを連結部１４ｂで連結した形状のものであっても良い。この場合、対向する縦枠４，４には各拡大部１４ａを係止する断面略Ｃ字状の係合溝部２５が長手方向に沿って設けられている。また、連結部材は縦枠間の高さ方向全長に設けられていても良い。
【図面の簡単な説明】
【００１９】
【図１】本発明の実施の形態を示すカーテンウォールの概略的正面図である。
【図２】同カーテンウォールの縦断面図である。
【図３】同カーテンウォールの横断面図である。
【図４】Ａ−Ａ線拡大断面図である。
【図５】Ｂ−Ｂ線拡大断面図である。
【図６】カーテンウォールの変形例を示す要部断面図である。
【符号の説明】
【００２０】
１  カーテンウォール
２  上枠
３  下枠
４  縦枠
５  枠
６  パネル
７  ユニット
１０  ゴンドラ
１１  ガイドローラ
１２  ゴンドラレール部
１４  連結部材
【図１】
2005146752.tif 000003
【図２】
2005146752.tif 000004
【図３】
2005146752.tif 000005
【図４】
2005146752.tif 000006
【図５】
2005146752.tif 000007
【図６】
2005146752.tif 000008